(57)【要約】【課題】  チューブのねじれがなく、別途嵌合解除部材を必要とせず、さらに針管が後退したりゆがんだりするおそれがなく、簡単な操作で確実にコネクターと混注部を流体連通しうるように接続できる混注用接続具を提供する。【解決手段】  針管１１、該針管１１を保持しうる針ハブ１２および該針ハブ１２に回動自在に嵌着された針保護フード１３を有するコネクター１と、少なくとも一つの開口２１および該開口２２を閉鎖するシール手段を有する混注部２とからなり、前記コネクター１が前記混注部２に接続されると同時に針管１１がシール手段を貫通して混注が可能となる混注用接続具であって、該コネクター１の針保護フード１３の内周面及び該混注部２の外周面には、該針保護フード１３が該混注部２に対して軸方向に挿入され、続いて周方向に回動されることによって該コネクター１と該混注部２の接続を固定しうる案内手段を有してなることを特徴とする混注用接続具。【選択図】  図１
2006150041.tif 000002
【特許請求の範囲】
【請求項１】
針管と、該針管を保持しうる針ハブと、該針管を収容しうる略筒状の針保護フードとを有し、該針保護フードは基端部が該針ハブに回動自在に嵌着されてなる、流体ラインの末端に設けられるコネクターと、
前記流体ライン内の流体を内腔へ導入しうる少なくとも一つの開口と、該開口を前記コネクターの針管が貫通しうるように閉鎖するシール手段とを有し、輸液ラインの途中に設けられる混注部とからなり、
前記コネクターは前記混注部に開口端側から外嵌されることで接続され、それと同時に針管がシール手段を貫通して流体ライン内の流体の輸液ライン内の輸液への混注が可能となる混注用接続具であって、
該コネクターの針保護フードの内周面及び該混注部の外周面には、該針保護フードが該混注部に対して軸方向に挿入され、続いて周方向に回動されることによって該コネクターと該混注部の接続を固定しうる案内手段を有してなることを特徴とする混注用接続具。
【請求項２】
前記案内手段は、前記針保護フードの先端部内周面に設けられた凸部と、前記混注部の外周面に設けられた、該針保護フードの凸部をガイドしうるように開口端側から基端側へ軸方向に延びるガイド溝と、該ガイド溝の基端側端部より前記凸部を混注部の周方向へガイドしうる回動溝とから構成される請求項１記載の混注用接続具。
【請求項３】
前記回動溝の終端部には、さらに前記針保護フードの凸部と嵌合しうる凹部が形成されてなる請求項２記載の混注用接続具。
【請求項４】
前記案内手段は、前記混注部の開口端部外周面に設けられた凸部と、前記コネクターの内周面に設けられた、該混注部の凸部をガイドしうるように先端側から基端側へ軸方向に延びるガイド溝と、該ガイド溝の基端側端部より前記凸部をコネクターの周方向へガイドしうる回動溝とから構成される請求項１記載の混注用接続具。
【請求項５】
前記回動溝の終端部には、さらに前記混注部の凸部と嵌合しうる凹部または孔が形成されてなる請求項４記載の混注用接続具。
【請求項６】
前記混注部のシール手段は、該混注部の開口から該混注部の内部へと挿入されるゴム状弾性体と、該混注部の開口を針管刺入部を除いて覆うように該混注部の外周面に嵌着されるカバー部材とから構成されてなり、前記混注部に設けられる案内手段は、前記シール手段のカバー部材に形成されてなる請求項２〜５のいずれかに記載の混注用接続具。
【請求項７】
前記コネクターの針保護フードは、該コネクターと前記混注部との接続が輸液ラインに妨げられることを防ぐための切欠部が設けられてなる請求項１〜６のいずれかに記載の混注用接続具。
【発明の詳細な説明】
【技術分野】
【０００１】
本発明は混注用接続具、具体的には輸液ラインのライン上に設けられる混注部と、流体ラインの末端に設けられたコネクターとからなり、前記混注部に前記コネクターを接続することによって輸液中に別の薬液を添加（混注）することが可能である混注用接続具に関する。
【背景技術】
【０００２】
輸液のシステムにおいては、輸液を患者の体内へ注入する経路（輸液ライン）を主とし、必要に応じて該輸液ラインに別の輸液や薬液などの流体を混注するためのライン（主にチューブ）が接続される。輸液ラインと流体ラインの接続は、輸液ライン上に設けられた混注部と、チューブの末端に設けられたコネクターとの接続によって行われる。
【０００３】
前記混注部としては、１つまたは２つ以上の流体入口と一つの流体出口を有し、該流体入口をゴム状弾性体で封鎖してなる混注部が輸液ラインの末端に設けられたもの（例えば、特許文献１参照）や、そのような混注部が複数個、輸液ラインの途中に設けられたもの（例えば、特許文献２参照）が公知である。
【０００４】
また、前記コネクターは、混注部の入口を封鎖するゴム状弾性体を貫通しうる針管と、該針管とチューブとを接続しうる針ハブと、該針管を保護し、かつ混注部との接続を可能としうる筒状の針保護フードとから構成されるものである。針管が混注部のゴム状弾性体を貫通した状態で混注部とコネクターのフードとの接続を固定する手段が種々提案されており、具体的には螺合によるもの（例えば、特許文献３参照）や、凹凸嵌合によるもの（例えば、特許文献４参照）、プッシュ回転式の係合によるもの（例えば、特許文献５参照）などがある。プッシュ回転式とは、コネクターを混注部に軸方向に挿入した後、周方向に回動させることによりコネクターと混注部の接続を固定しうるものである。
【０００５】
しかし、螺合により接続されるコネクターは、コネクターの回転により該コネクターに接続されたチューブにねじれを生じ、輸液の流通を妨げるおそれがある。また、凹凸嵌合によるものは、嵌合時にはコネクターを混注部に押し込むだけでよいが、嵌合を解除する時には単にコネクターを引っ張るだけでは解除できないため、別途嵌合解除機構を設ける必要がある。
一方、プッシュ回転式のコネクターは、螺合により接続されるコネクターに比べるとコネクター自体の回転はわずかであるが、ねじれたチューブの反発力によりコネクターが逆回転して嵌合が解除されるおそれがある。また、針管がチューブと固定される場合のように針管とフードとの固定が弱いと、針管のゴム状弾性体に対する穿刺抵抗が大きい場合、コネクターを混注部に押し込む際に針管がフード内を後退してしまい、ゴム状弾性体を貫通できなくなるおそれがある。
また、これらのコネクターは、輸液ラインから分岐したチューブの末端に設けられた混注部（特許文献１参照）には接続可能であるが、輸液ライン上に設けられた混注部（特許文献２参照）には接続できる形状になっておらず、いずれの混注部にも対応できるコネクターではないという点で使用に制限がある。
【０００６】
一方、コネクターの回転により該コネクターに接続されたチューブにねじれが生じないように、フードをコネクターに対して回転自在に嵌着したコネクターも開発されている（例えば、特許文献６参照）。さらに、回転自在に嵌着したフードを有するコネクターであって、輸液ラインから分岐したチューブの末端に設けられた混注部および輸液ライン上に設けられた混注部のいずれにも使用可能な形状を有するコネクターも、本願出願人により既に提案されている（例えば、特許文献７）。
しかし、これらのコネクターは、コネクターと混注部の螺合の際に、フードが回転しながら前進することにより針管が混注部のゴム状弾性体の中へと押し進められるものであるため、フードの回転の影響を受けて針管がゴム状弾性体にまっすぐにささらず、流体連通できなくなったり、針管にゆがみを生じたりする可能性がある。
【０００７】
【特許文献１】実開平１−９５９５３号公報
【特許文献２】実開平４−４４９５１号公報
【特許文献３】特表２００１−５１０２６６号公報
【特許文献４】実開平５−８６３５２号公報
【特許文献５】特表平９−５０７７７９号公報
【特許文献６】特表２００２−５０１７９３号公報
【特許文献７】特開２００２−１１３１１１号公報
【発明の開示】
【発明が解決しようとする課題】
【０００８】
そこで本発明は、上述したチューブのねじれがなく、別途嵌合解除機構を必要とせず、さらに針管が後退したりゆがんだりするおそれがなく、簡単な操作で確実にコネクターと混注部を流体連通しうるように接続できる混注用接続具を提供することを目的とする。
【課題を解決するための手段】
【０００９】
本発明者は、鋭意検討を行った結果、針管を針ハブに固定し、フードを該針ハブに回動自在に嵌着したコネクターを採用して、該コネクターと混注部に案内手段を設けて両者をプッシュ回転式で固定することにより、上記課題を解決できることを見出し、本発明に到達した。
【００１０】
すなわち、本発明は、
（１）  針管と、該針管を保持しうる針ハブと、該針管を収容しうる略筒状の針保護フードとを有し、該針保護フードは基端部が該針ハブに回動自在に嵌着されてなる、流体ラインの末端に設けられるコネクターと、
前記流体ライン内の流体を内腔へ導入しうる少なくとも一つの開口と、該開口を前記コネクターの針管が貫通しうるように閉鎖するシール手段とを有し、輸液ラインの途中に設けられる混注部とからなり、
前記コネクターは前記混注部に開口端側から外嵌されることで接続され、それと同時に針管がシール手段を貫通して流体ライン内の流体の輸液ライン内の輸液への混注が可能となる混注用接続具であって、
該コネクターの針保護フードの内周面及び該混注部の外周面には、該針保護フードが該混注部に対して軸方向に挿入され、続いて周方向に回動されることによって該コネクターと該混注部の接続を固定しうる案内手段を有してなることを特徴とする混注用接続具、
（２）  前記案内手段は、前記針保護フードの先端部内周面に設けられた凸部と、前記混注部の外周面に設けられた、該針保護フードの凸部をガイドしうるように開口端側から基端側へ軸方向に延びるガイド溝と、該ガイド溝の基端側端部より前記凸部を混注部の周方向へガイドしうる回動溝とから構成される（１）記載の混注用接続具、
（３）  前記回動溝の終端部には、さらに前記針保護フードの凸部と嵌合しうる凹部が形成されてなる（２）記載の混注用接続具、
（４）  前記案内手段は、前記混注部の開口端部外周面に設けられた凸部と、前記コネクターの内周面に設けられた、該混注部の凸部をガイドしうるように先端側から基端側へ軸方向に延びるガイド溝と、該ガイド溝の基端側端部より前記凸部をコネクターの周方向へガイドしうる回動溝とから構成される（１）記載の混注用接続具、
（５）  前記回動溝の終端部には、さらに前記混注部の凸部と嵌合しうる凹部または孔が形成されてなる（４）記載の混注用接続具、
（６）  前記混注部のシール手段は、該混注部の開口から該混注部の内部へと挿入されるゴム状弾性体と、該混注部の開口を針管刺入部を除いて覆うように該混注部の外周面に嵌着されるカバー部材とから構成されてなり、前記混注部に設けられる案内手段は、前記シール手段のカバー部材に形成されてなる（２）〜（５）のいずれかに記載の混注用接続具、
（７）  前記コネクターの針保護フードは、該コネクターと前記混注部との接続が輸液ラインに妨げられることを防ぐための切欠部が設けられてなる（１）〜（６）のいずれかに記載の混注用接続具
に関する。
【発明の効果】
【００１１】
本発明の混注用接続具は、コネクターと混注部に案内手段を設けて両者をプッシュ回転式で固定するものであり、簡単な操作で確実にコネクターと混注部を流体連通しうるように接続することが可能である。この混注用接続具は、針管が針ハブに離脱不能に固定されており、該針ハブと針保護フードとは回動自在に嵌着されているため、該針保護フードを混注部に外嵌する際に、針管がゴム状弾性体の刺通抵抗によって針保護フード内を基端側へ後退するおそれがない。
また、該針保護フードが針ハブに対して回動自在に嵌着されていることにより、コネクターと混注部の接続時に針保護フードが回動しても、針ハブに接続される流体ラインおよび針管が回動することはないため、流体ラインがねじれたり、針管にゆがみが生じたりするおそれがない。この効果は、流体ラインがチューブ等、他の流体収容部に接続される比較的経路の長い物である場合により顕著である。また、前記針保護フードの回動は、針管のゴム状弾性体への刺入が完了した後で行われるため、針管が針保護フードの回動の影響を受けて、ゴム状弾性体内にゆがんだ方向に刺入されるおそれもない。
さらに、本発明のコネクターは、コネクターと混注部との接続が輸液ラインに妨げられることを防ぐために、針保護フードの輸液ラインにぶつかる部分に切欠部を設けたことにより、チューブの末端に設けられた混注部および輸液ライン上に直接設けられた混注部のいずれの混注部にも接続することが可能であり、混注部の形状を選ぶことなく混注操作を行うための接続を行うことができる。
【発明を実施するための最良の形態】
【００１２】
以下、図面を用いて本発明の好ましい実施態様を詳細に説明するが、本発明はこれらに限定されるものではない。
図１および図２は、本発明の混注用接続具のコネクターの一実施例を示す図であり、図３〜図５は、本発明の混注用接続具の混注具の一実施例を示す図である。また、図６は、本発明の混注用接続具においてコネクターと混注部が接続された状態を示す斜視図である。さらに、図７は、本発明の混注用接続具のコネクターの他の実施例を示す断面図である。
【００１３】
本発明の混注用接続具は、流体ラインの末端に設けられるコネクター１と、輸液ラインの途中に設けられる混注部２とからなる。本発明において輸液ラインとは、輸液を患者の体内へ注入するための経路であり、輸液バッグから患者に穿刺される針まで輸液を移送し得るものである。また、本発明において流体ラインとは、輸液ラインを流れる輸液に別の輸液や薬液を混注するための経路であって、チューブやシリンジなど、内部に流体を連通または収容しうるものである。前記流体源を備えた流体ラインの末端が本発明のコネクターに接続され、該コネクターと前記混注部とが接続されて流体ラインと輸液ラインとが連通することにより、流体ライン内の流体を輸液ライン内の輸液に混注することが可能となる。
なお、本発明のコネクター１において、先端側とは混注具２との接続端側を指し、基端側とは流体ラインと接続される側を指す。また、本発明の混注具２において、開口端側とはコネクター１との接続端側を指し、基端側とは輸液ラインと接続される側を指す。
【００１４】
図１および図２において、本発明の混注用接続具におけるコネクター１は、流体ラインを構成するチューブ３の末端に設けられ、先端に鋭利な刃先を有する針管１１と、該針管１１を保持しうる針ハブ１２と、該針管１１を収容しうる略筒状の針保護フード１３とを有してなる。
該針管１１は混注部２のシール手段を刺通することにより、流体ラインと輸液ラインとを連通させ、流体ライン内の輸液または薬液を輸液ライン内を流れる輸液に混注するためのものである。したがって、該針管１１は、該シール手段を刺通しうる十分な剛性を有する材料で形成されることが好ましく、具体的にはステンレス鋼、アルミニウム、チタンあるいはこれらの合金等の金属、ポリカーボネート、ＡＢＳ等の合成樹脂などで形成される。
該針管１１は、混注部２のシール手段を刺通する際に屈曲しない剛性を有している必要があり、具体的には該針管１１の直径は０．６〜１．７ｍｍであり、肉厚が０．０９〜０．３０ｍｍであることが好ましい。また、該針管１１の長さは、シール手段を刺通したときに、先端が完全に輸液ライン側へ突出しうる長さである必要があり、シール手段の寸法に合わせて適宜設定される。
【００１５】
前記針ハブ１２は略円筒状の部材であり、その先端部に前記針管１１の基端部を内挿し、かつ離脱不能に固定しうるものである。該針ハブ１２と該針管１１との固定は、接着剤による接着の他、高周波溶着などが用いられる。該針ハブ１２の基端部には、チューブ３の末端が嵌合や接着剤を用いた接着などにより接続され、該チューブ３と該針管１１の内部は流体連通されている。前記針ハブ１２は、塩化ビニルやポリカーボネートなどの合成樹脂で形成されることが好ましい。
【００１６】
前記針ハブ１２の外周面には、前記針管１１を収容しうる針保護フード１３の基端部が回動自在に嵌着されている。該針保護フード１３は、該針ハブ１２と同様の材料で形成された略筒状の部材であり、先端部は混注部２の開口端に外嵌されうる程度に十分に大きな内径を有しており、基端部は針ハブ１２の外周面に接する大きさの内径を有している。また、該針保護フード１３は、針管１１の先端を完全に覆う長さを有している必要がある。
該針ハブ１２には、外周面に接する針保護フード１３の基端部の内径よりも大きな外径を有する部分が設定されることで、段部１２１が形成される。該段部１２１は、該針保護フード１３の先端側への移動を規制しうるものである。コネクター１を混注部２に接続する際、該針保護フード１３の先端部が混注部２の開口端に外嵌されると同時に、該針保護フード１３の基端部は該針ハブ１２の段部１２１に当接して該針ハブ１２を混注部２の基端側へと押し出し、それによって針管１１もまた混注部２の基端側へと押されて該混注部２のシール手段を刺通する。
また、該針ハブ１２の外周面には、該針保護フード１３の基端側への移動を規制しうるストッパーが一体または別体で設けられてもよい。あるいは、針保護フード１３の基端部の内径を、針ハブ１２の基端部に接続されるチューブ３の外径よりも小さく設定することで、特別にストッパーを設ける必要なく、該針保護フード１３の基端側への移動は規制されうる。
【００１７】
図１に示されるように、該針保護フード１３の外周面には、コネクター１を混注部２に接続する際に指で把持しやすいように、リブ１４が設けられていてもよい。該リブ１４の形状および数は特に限定されないが、該針保護フードの基端部外周面に、等間隔で複数個設けられていることが好ましい。さらに、該針保護フード１３の外周面には、前記リブ１４とリブ１４の間の指が当たる部分に窪み１６を設けることにより、さらにコネクター１を把持しやすくしてもよい。
また、該針保護フード１３の外周面には、コネクター１を混注部２に接続する際の操作方法を案内するために、矢印などの表示１５が設けられていてもよい。
【００１８】
前記コネクター１の製造方法は、まず針ハブ１２の内腔に、先端側から針管１１の基端部を挿入する。該針管１１は、接着または溶着により、該針管１１の先端部が針ハブ１２の先端側から露出した状態で該針ハブ１２に固定される。次に、針保護フード１３の内腔に、先端側から該針ハブ１２の基端部を挿入する。該針ハブ１２の針保護フード１３内腔への挿入は、該針保護フード１３の基端部が針ハブ１２の段部１２１に当接することで終了する。この状態で該針ハブ１２の基端部にチューブ３あるいは別途ストッパーを接続することで、該針保護フード１３は針ハブ１２に回動自在に嵌着され、コネクター１の製造が完了する。
【００１９】
図３〜図５において、本発明の混注用接続具の混注部２は、筒状のハウジング２１と、該ハウジングの一端に設けられた開口２２と、該開口２２を前記コネクター１の針管１１が貫通しうるように閉鎖するシール手段とを有してなる。該混注部２は、輸液ラインの途中に設けられるものであり、図３および図４に示されるように輸液ラインから分岐したチューブの末端に設けられたものであってもよいし、図５および図６に示されるように輸液ラインを構成するチューブ４上に直接設けられるものであってもよい。該開口２２の大きさは、針管１１が貫通しうる大きさであればよく、できるだけ小さいものであることが、混注部２がコンパクトになり好ましい。
前記混注部２のハウジング２１は、ポリカーボネートやＡＢＳなどの合成樹脂で形成されることが好ましい。
【００２０】
前記シール手段は、該混注部２の開口２２からハウジング２１内部へと挿入されるゴム状弾性体２３と、該ゴム状弾性体２３の脱落を防止しうるように該開口２２に嵌着されるカバー部材２４とから構成される。
前記ゴム状弾性体２３は、前記混注部２の内部を液密に封止しうるように前記開口２２に嵌着される。該ゴム状弾性体２３は、前記コネクター１と該混注部２が接続された時には針管１１により刺通され、該コネクター１と該混注部２の接続が解除された時には針管１１が抜去された後の孔を再度封止しうるような材質のものである必要がある。したがって、該ゴム状弾性体２３を形成する材料としては、合成ゴム、天然ゴム、シリコンゴムや熱可塑性エラストマーなどが好ましく用いられる。
前記カバー部材２４は、針管１１が刺入される中央部に開口を有する天面部と、該天面の縁部から垂直に延びる円筒状の側壁部とからなり、前記開口２２およびゴム状弾性体２３を覆うように該混注部２の開口２２に嵌着される。該カバー部材２４の側壁部は、混注操作時にハウジング２１とゴム状弾性体２３との隙間から薬液が漏れない様、該隙間を完全にシールできる大きさであることが好ましい。また、該カバー部材２４は、ハウジング２１と容易に溶剤等によって接着できるよう、ハウジング２１の材料と同様の合成樹脂から形成されることが好ましい。
【００２１】
前記混注部２の製造方法は、まずゴム状弾性体２３をハウジング２１の開口端側から挿入する。次いで、カバー部材２４を開口２２にゴム状弾性体２３を覆うように外嵌する。カバー部材２４とハウジング２１との固定は、カバー部材２４の内側またはハウジング２１外周面の開口端側、あるいはその両方に接着剤を塗布した上で、両者を嵌合させることにより行われることが好ましい。カバー部材２４とハウジング２１とが固定されると、混注部２の製造は完了する。
【００２２】
本発明の混注用接続具は、表示１５に従ってコネクター１の針保護フード１３が混注部２に対して軸方向に挿入され、続いて周方向に回動されることによって、図６に示されるようにコネクター１と混注部２との接続が固定される。この接続の解除は、接続時と逆の動き、すなわち針保護フード１３が混注部２に対して周方向に回動され、続いて軸方向に抜去されることにより行われる。したがって、該針保護フード１３および混注部２にはこれら一連の動きをガイドしうる案内手段が設けられていることが好ましい。
【００２３】
図２および図３に示されるように、前記案内手段は、例えば前記コネクター１の針保護フード１３の先端部内周面に設けられた凸部１３１と、前記混注部２の外周面に設けられた該凸部１３１をガイドしうる溝とから構成される。該混注部２の外周面に設けられた溝は、開口端側から基端側へ軸方向に延びるガイド溝２４１と、該ガイド溝２４１の基端側端部より周方向に延びる回動溝２４２とからなり、前記針保護フード１３の凸部１３１は、ガイド溝２４１に沿って混注部２の基端側へ軸方向にガイドされた後、回動溝２４２に沿って周方向にガイドされる。これらの凸部１３１、ガイド溝２４１および回動溝２４２からなる案内手段が設けられることにより、コネクター１が混注部２に対して軸方向に挿入され、続いて周方向に回動されるという、本発明のコネクター１と混注部２の接続に関する一連の動きを、容易かつ確実に行うことができる。
【００２４】
前記ガイド溝２４１は、針保護フード１３に設けられる凸部１３１が抵抗なく摺動しうる幅および深さを有し、コネクター１が混注部２に接続されたときにコネクター１に設けられる針管１１の先端が混注部２のゴム状弾性体２３の基端側から突出しうるまでコネクター１が混注部２の基端側へ進みうる長さを有するように形成される。
前記回動溝２４２もまた、前記凸部１３１が抵抗なく摺動しうる幅および深さを有し、針保護フード１３が混注部２に対して回動されることにより、コネクター１が混注部２の開口端側へ抜け落ちることを防止することで、コネクター１と混注部２の接続を固定しうる程度の長さを有するように形成される。該回動溝２４２の長さは、針保護フード１３の混注部２に対する回動角度が５〜６０°であるように形成されることが、操作上好ましい。
前記ガイド溝２４１および回動溝２４２は、カバー部材２４上に設けられることが成形上好ましい。この時、回動溝２４２はカバー部材２４の中央部に設けられた溝であってもよいが、図３に示されるようにカバー部材２４の基端部の縁に設けられた切欠部であってもよい。
【００２５】
前記回動溝２４２には、さらに終端部に針保護フード１３の凸部１３１と嵌合しうる凹部２４３が設けられていてもよい。これにより、コネクター１と混注部２とは、針保護フード１３のカバー部材２４に対する軸方向への挿入および周方向への回動に続いて凹凸嵌合することにより固定され、混注操作はより確実に行われる。また、コネクター１を把持する医療従事者が、該凸部１３１が凹部２４３に嵌合されたときの針保護フード１３の内側へのわずかな変位を感じることにより、コネクター１と混注部２の接続が完了したことを認識することができる。
該凹部２４３は回動溝２４２の終端部が一段深く掘り下げられて形成されたものであってもよいし、該回動溝２４２の中間部に突部を形成することにより終端部に凹部２４３を形成したものであってもよい。また、図３に示されるように、回動溝２４２の長さが短い場合は、回動溝２４２のガイド溝２４１との接合部に突部が形成されることにより、回動溝２４２全体が凹部２４３となるように構成されていてもよい。
【００２６】
前記案内手段は、図示されないが、前記混注部２の外周面に設けられた凸部と、前記コネクター１の針保護フード１３の先端部内周面に設けられたガイド溝および回動溝とから構成されるものであってもよい。この場合、前記針保護フード１３に設けられる回動溝の終端部には、混注部２の凸部と嵌合しうる凹部または貫通した孔が設けられることが好ましい。
【００２７】
混注部２が図５および図６に示されるように輸液ラインを構成するチューブ４上に直接設けられたものである場合、コネクター１が混注部２に接続される際に、該コネクター１の針保護フード１３がチューブ４にぶつかり、接続が妨げられるおそれがある。したがって、該針保護フード１３には、チューブ４へのぶつかりを防止しうる切欠部１３２が設けられることが好ましい。該切欠部１３２が設けられた針保護フード１３を有するコネクターは、チューブの末端に設けられた混注部およびチューブ４上に直接設けられた混注部のいずれの混注部にも接続することが可能であり、より好ましい。
前記切欠部１３２の大きさは、チューブ４の太さおよび針保護フード１３の回動角度により適宜設定される。
【００２８】
本発明のコネクター１は、図１および図２に示されるように流体ラインを構成するチューブ３の末端に設けられるものに限定されず、図７に示されるように流体ラインを構成するシリンジ５の先端に接続されて使用されてもよい。コネクター１がシリンジ５の先端に接続される場合、該コネクター１の基端部は、シリンジ５先端のルアーチップ５１を内挿して嵌合しうる形状を有することが好ましい。あるいは、該コネクター１の基端部に、シリンジ５先端のルアーチップ５１を内挿して嵌合しうる形状の基端部を有するアダプター６が接続されてもよい。
【００２９】
次に、本発明の混注用接続具の使用方法を図面に基づいて説明する。
混注部２が図３および図４に示されるように、輸液ラインから分岐したチューブの末端に設けられたものである場合、まずコネクター１は、針保護フード１３のリブ１４および窪み１６の部分を把持され、該針保護フード１３の先端部内周面に設けられた凸部１３１が混注部２のカバー部材２４外周面に設けられたガイド溝２４１に沿うように位置合わせされた状態で、該混注部２の基端側へと軸方向に挿入される。該針保護フード１３は、凸部１３１がガイド溝２４１にガイドされながら混注部２の基端側へ軸方向に移動し、それと同時に、該針保護フード１３の基端部が針ハブ１２の段部１２１に当接することにより針ハブ１２および針管１１を軸方向に押し出し、針管１１の刃先が混注部２のカバー部材２４の開口を通じてゴム状弾性体２３に刺入される。該針管１１は針ハブ１２に離脱不能に固定されており、該針ハブ１２と針保護フード１３とは嵌着されているため、針管１１と針保護フード１３との固定もまた確実であり、該針保護フード１３を挿入する際に、針管１１がゴム状弾性体２３の刺通抵抗によって針保護フード１３内を基端側へ後退するおそれはない。前記コネクター１の凸部１３１が混注部２のガイド溝２４１の基端側端部に当接するまで針保護フード１３が移動すると、該針管１１の刃先が該ゴム状弾性体２３を貫通し、かつ流体ラインおよび輸液ラインが連通した状態になり、針保護フード１３の軸方向への挿入は完了する。
【００３０】
次いで、針保護フード１３は、凸部１３１が回動溝２４２に沿って周方向にガイドされながら回動せしめられる。この時、該針保護フード１３は、針ハブ１２に対して回動自在に嵌着されているため、該針保護フード１３の回動によって針ハブ１２および針管１１は回動しない。したがって、針管１１がゴム状弾性体２３内で回動してゆがみが生じるおそれはないし、該針ハブ１２に接続される流体ラインが回動してねじれを生じるおそれもない。また、この回動操作は針管１１のゴム状弾性体２３への刺入が完了した後で行われるため、針管１１が針保護フード１３の回動の影響を受けて、ゴム状弾性体２３内にゆがんだ方向に刺入されるおそれもない。
その後、針保護フード１３は、凸部１３１が回動溝２４２の終端部に設けられた凹部２４３に嵌合することによりカバー部材２４に固定され、コネクター１と混注部２に接続操作が完了する。
【００３１】
流体の輸液への混注操作終了後、前記混注用接続具の接続を解除する場合は、まず、針保護フード１３をカバー部材２４に対して接続時とは逆方向に回動させることにより、凸部１３１と凹部２４３の嵌合を解除する。該凸部１３１がカバー部材２４のガイド溝２４１と係合するまで針保護フード１３を回動した後、該針保護フード１３を混注部２の開口端側へ軸方向に引き抜く。この時、針保護フード１３が針ハブ１の基端部に接続されたチューブ３あるいは別途設けられたストッパーに当接することにより、針ハブ１２および針管１１もまた軸方向に引き抜かれ、その結果、針管１１の刃先が混注部２のゴム状弾性体２３から抜去される。
【図面の簡単な説明】
【００３２】
【図１】本発明の混注用接続具のコネクターの一例を示す斜視図である。
【図２】図１に示されるコネクターの断面図である。
【図３】本発明の混注用接続具の混注部の一例を示す斜視図である。
【図４】図３に示される混注部の断面図である。
【図５】本発明の混注用接続具の混注部の他の例を示す断面図である。
【図６】本発明の混注用接続具の接続時の一例を示す斜視図である。
【図７】本発明の混注用接続具のコネクターの他の例を示す断面図である。
【符号の説明】
【００３３】
１  コネクター
１１  針管
１２  針ハブ
１３  針保護フード
１３１  凸部
１３２  切欠部
１４  リブ
１６  窪み
２  混注部
２１  ハウジング
２２  開口
２３  ゴム状弾性体
２４  カバー部材
２４１  ガイド溝
２４２  回動溝
２４３  凹部
３、４  チューブ
５  シリンジ
５１  ルアーチップ
６  アダプター
【図１】
2006150041.tif 000003
【図２】
2006150041.tif 000004
【図３】
2006150041.tif 000005
【図４】
2006150041.tif 000006
【図５】
2006150041.tif 000007
【図６】
2006150041.tif 000008
【図７】
2006150041.tif 000009